(57)【要約】【課題】雪斜面から容易にジャンプでき飛距離を延ばすことができるジャンプ用のスキー板の提供。【解決手段】ジャンプ用のスキー板Ａは、雪面と接する滑走板面１１に形成される空気吹出口１２と、板側面に形成される空気取入口１３と、空気吹出口１２と空気取入口１３とを連通する連通路１４とを備える。このジャンプ用のスキー板Ａで雪面を滑走すると、空気取入口１３から空気が取り込まれ、取り込まれた空気は連通路１４を通って空気吹出口１２から吹き出される。このため、ジャンプ地点でジャンプする姿勢を取ると、空気吹出口１２から吹き出される空気によって、雪斜面から板が速やかに離れるため、容易にジャンプでき、飛距離を延ばすことができる。【選択図】図１
0003192206.tif 000002
【実用新案登録請求の範囲】
【請求項１】
雪面と接する滑走板面に形成される複数の空気吹出口と、
板側面に形成される複数の空気取入口と、
前記空気吹出口と前記空気取入口の少なくとも一つと連通する複数の連通路とを備えたジャンプ用のスキー板。
【請求項２】
雪面と接する滑走面に形成される複数の空気吹出口と、
ボード側面に形成される複数の空気取入口と、
前記空気吹出口と前記空気取入口の少なくとも一つと連通する複数の連通路とを備えたスノーボード。
【請求項３】
水面と接する滑走面に形成される複数の空気吹出口と、
ボード上面に形成される複数の空気取入口と、
前記空気吹出口と前記空気取入口と連通する複数の連通路とを備えたサーフボード。
【考案の詳細な説明】
【技術分野】
【０００１】
本考案は、雪面を滑走するスノーボード、雪斜面からジャンプするジャンプ用のスキー板、または、水面を滑走するサーフボードに関する。
【背景技術】
【０００２】
特許文献１には、板断面が飛行機の翼と同様な形態のスキー板が開示されている。
特許文献２には、上面一端部の長手方向に沿って隆起部を形成し、この隆起部とスキー板の他端縁部の間に、なだらかな傾斜部を形成したジャンプ競技用のスキー板が開示されている。
【先行技術文献】
【特許文献】
【０００３】
【特許文献１】実開平６−４８７４９号公報
【特許文献２】実開平６−７４１８０号公報
【考案の概要】
【考案が解決しようとする課題】
【０００４】
上記特許文献１、２は、雪面から離れる際の抵抗の低減に関して考慮していない。
【０００５】
本考案の目的は、雪斜面から容易にジャンプでき飛距離を延ばすことができるジャンプ用のスキー板、雪面を容易に滑ることができるスノーボード、および、水面を滑走し易いサーフボードの提供にある。
【課題を解決するための手段】
【０００６】
（請求項１について）
ジャンプ用のスキー板は、雪面と接する滑走板面に形成される複数の空気吹出口と、板側面に形成される複数の空気取入口と、空気吹出口と空気取入口の少なくとも一つと連通する複数の連通路とを備える。
ジャンプ用のスキー板で雪面を滑走すると、板側面に形成される空気取入口から空気が取り込まれ、取り込まれた空気は連通路を通って、滑走板面に形成された空気吹出口から吹き出される。
このため、ジャンプ地点でジャンプする姿勢を取ると、空気吹出口から吹き出される空気によって、雪斜面から板が速やかに離れるため、容易にジャンプでき、飛距離を延ばすことができる。
【０００７】
（請求項２について）
スノーボードは、雪面と接する滑走面に形成される複数の空気吹出口と、ボード側面に形成される複数の空気取入口と、空気吹出口と空気取入口の少なくとも一つと連通する複数の連通路とを備える。
雪面をスノーボードで滑走すると、ボード上面に形成される空気取入口から空気が取り込まれ、取り込まれた空気は連通路を通って、滑走面に形成された空気吹出口から吹き出される。
このため、スノーボードは、空気吹出口から吹き出される空気によって、雪斜面から浮き上がり易くなるため、雪面を容易に滑ることができる。
【０００８】
（請求項３について）
サーフボードは、水面と接する滑走面に形成される複数の空気吹出口と、ボード上面に形成される複数の空気取入口と、空気吹出口と空気取入口と連通する複数の連通路とを備える。
サーフボードの上に立って、波が形成されている水面を滑走すると、ボード上面の空気取入口から空気が取り込まれ、取り込まれた空気は連通路を通って、滑走面に形成された空気吹出口から吹き出される。
このため、サーフボードは、空気吹出口から吹き出される空気によって、水面から浮き上がり易くなるため、波が形成されている水面を円滑に滑ることができる。
【図面の簡単な説明】
【０００９】
【図１】本考案の実施例１に係るスキー板の説明図である。
【図２】本考案の実施例２に係るスノーボードの説明図である。
【図３】本考案の実施例３に係るサーフボードの説明図である。
【実施例１】
【００１０】
本考案の実施例１（請求項１に対応）に係るジャンプ用のスキー板Ａを図１に基づいて説明する。
ジャンプ用のスキー板Ａは、雪面と接する滑走板面１１に形成される空気吹出口１２と、板側面に形成される空気取入口１３と、空気吹出口１２と空気取入口１３とを連通する連通路１４とを備える。
【００１１】
また、板前面には、空気取入口１５が３個形成され、連通路１４を介して前側の空気吹出口１２の一つと連通している。更に、板後面には、空気吹出口１６が３個形成され、連通路１４を介して後側の空気取入口１３と連通している。
【００１２】
本実施例では、開口が楕円形の空気吹出口１２が１１個、滑走板面１１に形成され、個々の吹出口において、後方へ行く程、穴底が浅くなって行く形状を呈している。
本実施例では、開口が楕円形の空気取入口１３が８個、板側面に形成され、個々の取入口において、前方へ行く程、穴底が浅くなって行く形状を呈している。
板側面の各空気取入口１３は、滑走板面１１の少なくとも一つの空気吹出口１２と、連通路１４によって、連通している。
【００１３】
このジャンプ用のスキー板Ａで雪面を滑走すると、板側面に形成される空気取入口１３および板前面の空気取入口１５から空気が取り込まれ、取り込まれた空気は連通路１４を通って、滑走板面１１に形成された空気吹出口１２から、下方後方へ吹き出される。
【００１４】
このため、ジャンパーがジャンプ地点でジャンプする姿勢を取ると、空気吹出口１２から吹き出される空気によって、雪斜面からスキーＡ板が速やかに離れるため、容易にジャンプでき、飛距離を延ばすことができる。
【００１５】
本考案の実施例２（請求項２に対応）に係るスノーボードＢを、図２に基づいて説明する。
スノーボードＢは、雪面と接する滑走面２１に形成される空気吹出口２２と、ボード側面に形成される空気取入口２３と、空気吹出口２２と空気取入口２３とを連通する連通路２４とを備える。
【００１６】
本実施例では、開口が楕円形の空気吹出口２２が１１個、形成され、個々の吹出口２２において、後方へ行く程、穴底が浅くなって行く形状を呈している。
【００１７】
本実施例では、開口が楕円形の空気取入口２３が６個、形成され、個々の取入口において、前方へ行く程、穴底が浅くなって行く形状を呈している。
板側面の各空気取入口２３は、滑走板面２１の空気吹出口２２と、連通路２４によって、連通している。
【００１８】
また、板前面には、空気取入口２５が５個形成され、連通路２４を介して前側の空気吹出口２２と連通している。更に、板後面には、空気吹出口２６が３個形成され、連通路２４を介して後側の空気取入口２３と連通している。
【００１９】
このスノーボードＢで雪面を滑走すると、板前面の空気取入口２５および板側面の空気取入口２３から空気が取り込まれ、取り込まれた空気は連通路２４を通って、滑走面２１の空気吹出口２２から下方後方へ、板後面の空気吹出口２６から後方へ吹き出される。
【００２０】
このため、スノーボードＢは、空気吹出口２２、２６から吹き出される空気によって、雪斜面から浮き上がり易くなるため、雪面を容易に滑ることができる。
【００２１】
本考案の実施例３（請求項３に対応）に係るサーフボードＣを、図３に基づいて説明する。
サーフボードＣは、水面と接する滑走面３１に形成される空気吹出口３２と、ボード上面に形成される空気取入口３３と、空気吹出口３２と空気取入口３３と連通する連通路３４とを備える。
【００２２】
本実施例では、開口が楕円形の空気吹出口３２が１６個、形成され、個々の吹出口３２において、後方へ行く程、穴底が浅くなって行く形状を呈している。
【００２３】
本実施例では、開口が楕円形の空気取入口３３が１６個、形成され、個々の取入口において、前方へ行く程、穴底が浅くなって行く形状を呈している。
ボード上面に形成される空気取入口３３は、滑走面３１の空気吹出口３２と、連通路３４によって、連通している。
【００２４】
サーフボードＣの上に立って、波が形成されている水面を滑走すると、ボード上面の空気取入口３３から空気が取り込まれ、取り込まれた空気は連通路３４を通って、滑走面３１に形成された空気吹出口３２から吹き出される。
このため、サーフボードＣは、空気吹出口３２から吹き出される空気によって、水面から浮き上がり易くなるため、波が形成されている水面を円滑に滑ることができる。
【産業上の利用可能性】
【００２５】
本考案のジャンプ用のスキー板を用いれば、雪斜面から容易にジャンプでき飛距離を延ばすことができる。
【符号の説明】
【００２６】
Ａ  ジャンプ用のスキー板
Ｂ  スノーボード
Ｃ  サーフボード
１１  滑走板面
１２  空気吹出口
１３  空気取入口
１４  連通路
２１  滑走面
２２  空気吹出口
２４  連通路
２５  空気取入口
３１  滑走面
３２  空気吹出口
３３  空気取入口
３４  連通路
【図１】
0003192206.tif 000003
【図２】
0003192206.tif 000004
【図３】
0003192206.tif 000005